(57)【要約】      （修正有）【課題】花壇や玄関先垣根に有用な、雑草が生え難く装飾性が高く堅牢な苗床を提供する。【解決手段】内部に土壌等を収納する箱型の苗床１を、側面３にはテント地のような可飾性で耐候性のある非透水性の生地を用い、底面５と上面４には耐候性のある透水性の不織布を用い、更にその上面には植物を植栽する際に開閉をする開閉手段６を設けた。その開閉手段６として、最低１対のスライダーを有するファスナー６１を１本以上縫い付けたものであって、また箱型を維持するために内部または縫い目内に硬質の芯材を有するように構成し、また上面４もしくは底面５の端には持ち運び用の持ち手７が縫い付けられているものである。また、連結部８を設けることで容易に連結、固定が可能にできる。【選択図】図１
2011211924.tif 000002
【特許請求の範囲】
【請求項１】
内部に土壌等を収納する箱型の苗床において、側面には可飾性で耐候性のある非透水性の生地を用い、底面と上面には耐候性のある透水性の不織布を用い、更に前記上面には植物を突出させる際に開閉をする開閉手段が設けられていることを特徴とする苗床。
【請求項２】
前記苗床の前記側面はテント地からなり、前記側面と前記上面、前記底面は
重ね折り縫いをされていることを特徴とする前記請求項１記載の苗床。
【請求項３】
前記苗床の前記上面には、前記開閉手段として、最低１対のスライダーを有するファスナーを１本以上縫い付けてあることを特徴とする前記請求項１記載の苗床。
【請求項４】
前記苗床には、箱型を維持するために内部または縫い目内に硬質の芯材を有することを特徴とする前記請求項１または２記載の苗床。
【請求項５】
前記上面の端もしくは前記底面の端には持ち運び用の持ち手が縫い付けられていることを特徴とする前記請求項１記載の苗床。
【請求項６】
前記側面の角をなす部分には連結用に筒状のものが付けられていることを特徴とする前記請求項１記載の苗床。 
【発明の詳細な説明】
【技術分野】
【０００１】
本発明は花壇や玄関先垣根に有用な苗床に関する。
【背景技術】
【０００２】
以前より花壇や玄関先に花や低木を植えることがなされているが、これらを直接土に植えるのではなく鉢植えして、植物の種類を交換したり雰囲気を変えたりすることがなされる。このような鉢においては、瀬戸物などの鉢を用いたり、プラスチックのようなプランターを用いたりすることがあるが、前者は一度植えると植物が枯れるまで同じ様相を呈するので変化がなく、後者は１〜２年でプランターが風化するので多年生草木には不適切である。そこで例えば特開平７−３１２９２号公報（先行技術文献1）に示すような口径を大としかつ土抜けの起こらない構造の底付き鉢が提案されている。この鉢は一端から連続引き出し可能な集合鉢体を構成する個々の六角柱状の鉢の下部に、列方向に交差して対向する側壁の下部にそれぞれ延長する１対の方形状の互いの貼着で形成す第１の部分底と、隣接する側壁の下部にそれぞれ延長する１対の三角形状の貼着で形成す第２の部分底と第３の部分底の重合で形成する底部で構成している。
【先行技術文献】
【特許文献】
【０００３】
【特許文献１】特開平７−３１２９２号公報
【発明の概要】
【発明が解決しようとする課題】
【０００４】
しかしながら、いずれも表面が広く開放されているので雑草が生えやすい。防草シートで鉢の表面を覆うことが考えられるが、いずれの場合も鉢本体と防草シートとの接着が困難で、防草シートがめくれたり、風に飛ばされたりして効果的な防草が困難である。また先行技術のように、紙のような材料で鉢を構成することで鉢への装飾が容易であるが、反面、底辺を貼りあわせで構成せざるを得ないので、耐久性に乏しく多年生植物には適さない。また鉢そのものは大きく出来ないので、鉢ごと盗難にあう可能性が高い。
【課題を解決するための手段】
【０００５】
そこで本発明は、内部に土壌等を収納する箱型の苗床において、側面には可飾性で耐候性のある非透水性の生地を用い、底面と上面には耐候性のある透水性の不織布を用い、更にその上面には植物を植栽する際に開閉をする開閉手段を設けたもので、より好ましくは側面をテント地とし、側面と上面、側面と底面は重ね折り縫いしたものである。
そして本発明は、上述した開閉手段として、最低１対のスライダーを有するファスナーを１本以上縫い付けたものであって、また箱型を維持するために内部または縫い目内に硬質の芯材を有するように構成し、また上面もしくは底面の端には持ち運び用の持ち手が縫い付けられているものである。
また側面の角をなす部分に筒状の連結部がつけられているものである。
【発明の効果】
【０００６】
本発明にあっては、側面には可飾性で耐候性のある非透水性の生地を用い、底面と上面には耐候性のある透水性の不織布を用い、更にその上面には植物を植栽する際に開閉をする開閉手段を設けたので、鉢というより苗床として耐久性に富み、鉢の側面に多様な模様を装飾でき、場合によってはその模様に中に所有者の情報などを盗難防止に表記できる。しかも底面を不織布で覆うので土抜けはなく水はけがよいし、一方上面を不織布として覆ってしまうので、水遣りに不都合がなく雑草防止の効果が得られるため、自宅やマンションのベランダに置くこともできる。
また側面をテント地とし、側面と上面、側面と底面は重ね折り縫いしたので、縫うという作業で側面と防草効果のある上面を平易に強固に結合できしかも堅牢で、側面には写真印刷などで精巧な描画ができるため、広告やイベントにも利用可能である。
【０００７】
そして本発明は、上述した開閉手段として、最低１対のスライダーを有するファスナーを１本以上縫い付けたことによって、植えつけた植物の成長を阻害しないで植物の根元まで防草することができ、植替えの際には苗床を傷つけることなく新しい植物等を植えることができる。またファスナーの開閉により直接土壌に肥料を与えることもできる。
また内部または縫い目内に硬質の芯材を有することで、布地であっても型崩れすることがなく長期間にわたって堅牢なので、多年生植物でも適用できる。堅牢であるからこそ、比較的大型の苗床に形成することも出来、玄関先の垣根等としても適用できる。そして上面もしくは底面の端には持ち運び用の持ち手を設けることで、苗床を連結して配置でき、また側壁の露出面を変更する場合には、持ち手で苗床を回転させること等が出来るので、苗床に土壌が詰まって重くなっていても軽度の移動が可能となる。
【０００８】
また側面の角をなす部分には筒状のものを取り付けるまたは筒状になるよう縫い合わせることにより連結が容易にできるようになる。そして地盤と固定することにより盗難抑制にもつながる。
【図面の簡単な説明】
【０００９】
【図１】本発明実施例の苗床の斜視図である。
【図２】本発明実施例の縫い目の説明図（ａ）（ｂ）である。
【図３】本発明に利用する芯材の斜視図（ａ）とその芯材を縫い目に折りこんだ説明図（ｂ）である。
【図４】本発明における連結の方法の説明図（ａ）（ｂ）である。
【発明を実施するための形態】
【００１０】
本発明は、側面３に可飾性で耐候性のある非透水性の生地を用い、底面４と上面５には耐候性のある透水性の不織布を用いた箱型の苗床１であって、その上面５には植物９を突出させる際に開閉をする開閉手段６を設けたものであり、以下詳細に説明する。
【実施例】
【００１１】
図１は苗床１の斜視図で、内部には土壌等２を収納する箱型の苗床をなしている。苗床１の大きさとしては例えば長さ５０ｃｍ、幅２５ｃｍ、高さ５０ｃｍであるがこれに限るものではなく、立方体や多角柱でもよい。側面３には可飾性で耐候性のある非透水性の生地、たとえばテント地で構成し、底面４と上面５には耐候性のある透水性の不織布を用いる。土壌等２としては、例えば黒土、鹿沼土、バーク、肥料その他の混合物であって、苗床内で植物９が根を張り育成させるのが目的なので、袋の外の土壌に根を張らせる従来の緑化事業のような肥料のみを入れるものではない。
【００１２】
側面３のテント地とは一般的にポリエステル繊維やアクリル繊維が使用されており樹脂加工が施されていることが多い。また、吸水防止加工により側面３からの水分の蒸散を防ぐことで苗床１内部の土壌等２の過度の乾燥を防ぐことができる。その他にも撥水加工、フッ素加工、親水性加工等によりテント地自体の汚れを付着しにくくし、さらに汚れを落としやすくしているため、泥汚れ等による見た目を損なうことも少ない。他にも、防炎加工も施されており安全性でも高い評価が得られる。そして、テント地にその場にあった印刷をして側面３に使用することにより、景観を崩すことなく設置することも可能になる。
【００１３】
底面４や上面５に用いる不織布とは、例えばポリプロピレン多層スパンバンドからなるが、他にもアラミド繊維、ガラス繊維、セルロース繊維、ナイロン繊維、ビニロン繊維、ポリエステル繊維、ポリオレフィン繊維、レーヨン繊維などを用いることが出来る。これらの材質を用いるときの条件は、植物９の育成に必要な水分と、空気が布地を透過することのほか、耐候性が必要で、例えば日本国内の通常の天候管理下で１０年間腐敗しないことが望ましい。これは苗床１はあくまで地面や屋上と独立して苗の育成を行うからである。腐敗しない１０年間というのはあくまで目安で、上述したポリプロピレン不織布では１５年以上の実績を持つし、本発明では以下の説明でも理解されるように、植物９と苗床１をまとめて新規なものに交換できるので、もっと短期間となっても良いが、耐候性は必要である。また緑化施工する建造物が耐火性を維持することが要求される場合があるが、この場合には苗床１は、建造物の耐火性を損なわないようにする必要がある。この場合には、不織布の材料としてガラス繊維の含有量を高くし、例えば９０％以上がガラス繊維としてスパンバンド加工で不織布を形成するのがよい。
【００１４】
側面３と上面５、側面３と底面４は互いに縫うことが出来るので、図２に示すような縫いあわせにより箱状に形成できる。縫い合わせを簡単に行うには図２（ａ）に示すように、縫代先が箱状の内側に位置するようにすることで見た目がシンプルな感じにまとめることができる。そして、縫い糸自体が直接光に触れないため紫外線による劣化を遅れさせることができる。また鞄やキャリーバックで実績があるような重ね折り縫いは図２（ｂ）に示すように縫い合わせ部分が強固である。苗床１内部に土壌等２を入れた場合に重量が出るため、持ち運ぶに耐えられるようにするのにはこちらの縫い方の方が適していると思われる。見た目はそれほど気にならず、立体感や高級感を与えることができる。
【００１５】
６は植物９を突出させる際に開閉をする開閉手段を設けたもので、植物９としては、根の部分に発芽土がついたまま差し込むものなどでよいが、いわゆる多肉植物であれば必要な土壌量が他の樹木などに比較して少なくて済むので好ましい。その多肉植物とはサボテン科、アロエ科、ハマミズナ科、ベンケイソウ科などがあるが、緑化に適したものを選択すればよく、例えばベンケイソウ科で常緑のもの、品種登録されたもので具体的に例示すればトットリフジタ１号などが好ましい。公園などにおく場合にはヒャクニチソウや矢車草など花がかわいらしいものが好まれる。一方本発明は住宅の垣根や店舗の入り口などにも有用なので皐月やマキなども植栽する。
【００１６】
そして、上述した開閉手段６としては、ファスナー（滑り式留金具）６１が有用である。そのファスナー６１は金属ファスナー、コイルファスナー（樹脂ファスナー）、プラスチックファスナーなどが利用できるが、耐候性や、中に充填されたものが土壌等２であることを考慮すると樹脂製のファスナーが好ましく、金属ファスナーの場合は腐食し難い材質や表面処理を施すのが好ましい。
【００１７】
ファスナー６１は通常は一つのスライダーしかついていないので、植物９の茎がファスナー６１の端に位置できるようにファスナーの位置を配慮した方がよい。このようにファスナーを使うことで苗の茎を締め付けることなく穴を閉塞することが出来、茎の成長に応じてファスナー６１の開口を広げることが出来るが、更にはそのファスナー６１のスライダーの滑り具合によっては、茎の成長でスライダーが後退し、自動的に開口の大きさが変えられることにもなる。それには、洋服等に使用されるロックのかかるタイプではなく、力を加えなくても自然と開閉するタイプがよりよい。
【００１８】
より好ましい方法として、図1の左側に示すようにファスナー６１のほぼ中央部が開口するように、スライダー６１１を二つペアーとして設けることである。これにより、植物９を土壌等２中に差し込みやすくなり、その配置の自由度も向上するので、芽の伸び具合・葉のしげり具合を考慮しながら植物９を植えるなど、苗床の配置場所によって有用である。
また、図１の中央や右側に示しているのは、穴を長尺とし、ファスナー６１を、花草や低木などの植物を植える列ごとに一本として、それぞれ花草や低木を植えたい場所にスライダー６１１の対を配置したものである。また低木を1本ずつにしたい場合などは、苗床１を直方体など長細くし、その長辺方向に向かって一列だけのファスナーを設けてもよい。ファスナー６１は、一般に壊れると修繕が困難で交換するしかないのが、本発明におけるファスナー６１、６１は服飾と異なり頻繁に開閉するものではないので、一連化にしてファスナー６１の縫製作業を容易にする方が効率的であり、また緑化条件によって苗の間隔や本数が決まるので、１列１連であればそれに合わせた苗の配置が選択できるという長所がある。このような最低１対のスライダーを有するファスナーを１本以上縫い付けたものである。
【００１９】
また箱型を維持するために苗床１内部または図３（ｂ）のように縫い目内に硬質かつ植物の成長等を害さないような芯材１０を有するように構成する。これには、図３の（ａ）のように骨組みのように棒状のものを組み立てるのもよいし、板のようなもので側面３内側に上面、底面のない箱型を形成してもよい。また上面もしくは底面の端には図１の持ち手７のように持ち運び用の持ち手が縫い目に縫い込まれているものである。
【００２０】
そして側面３の角をなす部分には筒状のものを縦に取り付けることにより連結するための部分が出来る。また側面３の角をなす部分を筒状になるよう縫い合わせてもよい。そこにＵ字型のものを差し込むことにより隣との連結または他との連結を図４（ａ）のようにすることができる。そして、連結部８の途中に切り込みを入れることにより、目立たない所でも図４（ｂ）のように連結することができる。また、連結部８にＬ工のような頑丈な物を差し込み地盤等にそのまま打ち込めば固定にもなり、盗難抑制にもつながる。
【産業上の利用可能性】
【００２１】
本発明は、効果的な防草ができ、装飾性がありしかも堅牢なので花壇や垣根に有用である。
【符号の説明】
【００２２】
１  苗床
２  土壌等
３  側面
４  上面
５  底面
６  開閉手段
６１  ファスナー
６１１  スライダー
７  持ち手  
８  連結部
９  植物
１０  芯材
【図１】
2011211924.tif 000003
【図２】
2011211924.tif 000004
【図３】
2011211924.tif 000005
【図４】
2011211924.tif 000006